(57)【要約】【課題】ホタルを蛹化させるための装置について、限られた蛹化スペースでより多くの蛹化を可能とし、高い羽化率を実現できるようにする。【解決手段】水を貯留することによりホタルの幼虫の育成スペースとなる幼虫育成部４と、幼虫育成部４の周囲で幼虫が上陸して蛹化するための土１２を充填した蛹化部２Ａとを備えたホタルの蛹化促進装置１Ａにおいて、略垂直な側面を有し土表面上に突出部分２０ｂを残して土中に埋設された複数の蛹化促進部材２０Ａが互いに間隔を有して蛹化部２Ａに配設され、幼虫育成部４から上陸して蛹化部２Ａ表面を移動し蛹化促進部材２０Ａの突出部分２０ｂに当接した幼虫７が、その側面に沿って土中に潜って蛹化を開始することを特徴とするものとした。【選択図】図４
0003127965.tif 000002
【実用新案登録請求の範囲】
【請求項１】
水を貯留することによりホタルの幼虫の育成スペースとなる幼虫育成部と、該幼虫育成部の周囲で幼虫が上陸して蛹化するための土を充填した蛹化部とを備えたホタルの蛹化促進装置において、
略垂直な側面を有し土表面上に突出部分を残して土中に埋設された複数の蛹化促進部材が互いに間隔を有して前記蛹化部に配設され、前記幼虫育成部から上陸して前記蛹化部表面を移動して前記突出部分に当接した幼虫が、前記側面に沿って土中に潜り蛹化を開始するものとした、
ことを特徴とするホタルの蛹化促進装置。
【請求項２】
前記蛹化促進部材は所定幅の板材であり、該板材を前記幼虫育成部に向かって幅方向が略直角となるように対向させて前記蛹化部の土に略垂直に差し込んで設けたものとされている、ことを特徴とする請求項１に記載したホタルの蛹化促進装置。
【請求項３】
前記蛹化促進部材は略四角柱状の杭材であり、該杭材を前記蛹化部の土に略垂直に差し込んで設けたものとされている、ことを特徴とする請求項１に記載したホタルの蛹化促進装置。
【請求項４】
前記蛹化促進部材の配置は、前記幼虫育成部から所定の間隔を有して該幼虫育成部の周囲を囲むように連設したものが少なくとも二重以上設けられたものとされ、外側の列の配置が内側の列の前記蛹化促進部材の隙間部分を通る前記幼虫育成部からの略延長線上とされている、ことを特徴とする請求項１，２または３に記載したホタルの蛹化促進装置。
【請求項５】
請求項１，２，３または４に記載したホタルの蛹化促進装置は、底板および側壁板を有して全体として上部開放型の容器状とされ、内部に土を充填して略中央に前記幼虫育成部を備えており、全体として移設可能なものとされている、ことを特徴とするホタルの蛹化促進装置。
【考案の詳細な説明】
【技術分野】
【０００１】
本考案は、ホタルの蛹化を促進して羽化率を高めるための蛹化促進装置に関する。  
【背景技術】
【０００２】
近年、自然環境を保全・回復させるための活動が活発化しているが、その活動の一環としてホタルの繁殖活動及びそのための環境整備活動が全国各地で実施されるようになった。これは、清流でしか生育できないホタルの生息数回復が自然環境の回復のシンボルや観光資源にもなることから、ホタルのビオトープ（生物生息の空間）の保全、復元を目的として各種団体が取り組むようになったものである。  
【０００３】
また、ホタルの繁殖を促進させるための手段として種々の繁殖技術や繁殖装置も開発されており、例えば特開２００１―１７８３１０号公報には、容器内底部の床砂と水面より上部に位置する枠内に充填した土壌とを傾斜板で接続し、ホタルの幼虫が水中から陸上に移動することを容易化したホタルの育成方法が提案されている。これは、水中で生育した幼虫が蛹化するには陸上に這い出て土中に潜ることが必要であるため、水中から陸上に続く傾斜板を配設して上陸し易くした点を特徴としている。
【０００４】
しかし、単に幼虫が陸上に這い出しやすくしただけでは、陸上の土壌の状態が蛹化に適していない場合には蛹化率が低いものとなる。そこで、特開２００３−２２５０３５号公報に、赤玉土を主成分として所定の軟らかさ、湿度、ｐＨ等を維持するような配合で作成された用土層を蛹化場所として作成することが提案された。これにより、上陸した幼虫が蛹化しやすくなり、蛹化率、さらには羽化率を改善することが可能となる。
【０００５】
ところで、ホタルの幼虫は、上陸後に地上を這い回りながら土中から地上に突出した石等の垂直面を有する障害物に当ったところで、その垂直面に沿って土中に潜り、土中で障害物の垂直面に寄り添うようにして蛹化する習性をもっている。従って、例えば、幼虫の育成容器を自然の川の近くに設置した場合には、周囲に適当な垂直面を持つ障害物が少ない場合は、最終的には障害物のない場所でも蛹化するようになるが、土に潜るまでに地上で長時間を費やすことにより幼虫が弱ってしまい、蛹化に失敗する場合が多くなる。
【０００６】
また、蛹化スペースを付設した人工的なホタル養殖装置を設置する場合は、装置の構造上、広い蛹化スペースを確保しにくいこともあって用土の囲い部材内壁面に蛹化場所が集中するため、こちらも蛹化に失敗する場合が多かった。そのため、蛹化促進のための装置を設ける場合においては、最小限の蛹化スペースでより多くの蛹化を成功させられるようにすることが、効率的なホタルの繁殖の実現に繋がるものであり、これを実現するための技術が望まれていた。
【特許文献１】特開２００１―１７８３１０号公報
【特許文献２】特開２００３−２２５０３５号公報
【考案の開示】
【考案が解決しようとする課題】
【０００７】
本考案は、上記のような問題点を解決しようとするものであり、ホタルを蛹化させるための装置について、限られた蛹化スペースでより多くの蛹化を可能とし、高い羽化率を実現できるようにすることを課題とする。
【課題を解決するための手段】
【０００８】
そこで、本考案は、水を貯留することによりホタルの幼虫の育成スペースとなる幼虫育成部と、この幼虫育成部の周囲で幼虫が上陸して蛹化するための土を充填した蛹化部とを備えたホタルの蛹化促進装置において、略垂直な側面を有し土表面上に突出部分を残して土中に埋設された複数の蛹化促進部材が互いに間隔を有して蛹化部に配設され、幼虫育成部から上陸して蛹化部表面を移動し蛹化促進部材の突出部分に当接した幼虫が、その側面に沿って土中に潜って蛹化を開始することを特徴とするものとした。
【０００９】
このように、上陸した幼虫が這い回る間に当接した障害物に沿って土に潜る習性を利用するものとして、蛹化部に複数の蛹化促進部材を配設することにより土を保持する囲い部材の内壁面に加えて多数の蛹化場所を提供することができ、比較的短時間で幼虫が土中に潜ることを可能として蛹化に失敗しにくいものとすることができる。
【００１０】
また、この蛹化促進部材を所定幅の板材として、これを幼虫育成部に向かって幅方向が略直角となるように対向させて蛹化部の土に略垂直に差し込んで設けたものとすれば、幼虫育成部から這い出た幼虫がその突出部分に当接するチャンスの多いものとなり、或いは、その蛹化促進部材を略四角柱状の杭材として蛹化部の土に略垂直に差し込んで設けたものとすれば、４つの側面が総て蛹化に利用できるものとなる。
【００１１】
さらに、上述した蛹化促進装置において、その蛹化促進部材の配置は幼虫育成部から所定の間隔を有してその周囲を囲むように連設したものが少なくとも二重以上設けられたものとされ、外側の列の蛹化促進部材の配置が、内側の列の蛹化促進部材の隙間部分を通る幼虫育成部からの略延長線上となるようにすれば、幼虫育成部から這い出てほぼ遠心方向に進む幼虫がいずれかの蛹化促進部材に当接しやすいものとなる。
【００１２】
さらにまた、上述した蛹化促進装置を、底板および側壁板を有して全体として上部開放型の容器状とし、内部に土を充填して略中央に幼虫育成部を備えたものとして全体として移設可能なものとすれば、これを設置するだけであらゆる場所でホタルの蛹化促進作業を比較的容易に開始できるものとなる。
【考案の効果】
【００１３】
蛹化部に複数の蛹化促進部材を配設した本考案によると、限られた蛹化スペースでより多くの蛹化を成功させることができ、高いホタルの羽化率を実現することができるものである。
【考案を実施するための最良の形態】
【００１４】
以下に、図面を参照しながら本考案を実施するための最良の形態を説明する。
【００１５】
図１は本考案における第一の実施の形態であるホタルの蛹化促進装置１Ａの平面図を示している。蛹化促進装置１Ａは、側壁板１０ａ，１０ｂ，１０ａ，１０ｂおよび底板１０ｃから形成される上部が開放した水槽型容器１０と、その収容室１０ｄに充填されたホタルの蛹化に適した所定組成からなる土１２と、収容室１０ｄの略中央位置に下部を土１２中に埋設して上部が土１２表面上に露出した舟型容器１４を備えており、舟型容器１４は水が充填されて幼虫を育成するための幼虫育成部４を構成し、収容室１０ｄにおける舟型容器１４周囲の土１２を充填した部分は幼虫が蛹化するための蛹化部２Ａを構成する。
【００１６】
幼虫育成部４は、使用時において図示しない水供給管等が配置されて新鮮な水が補給されるとともに餌となる川蜷等が入れられ、また水の供給位置と対向する位置には図示しない水排出管等が配置されて水を排出可能とされ、ホタルの幼虫に適した成育環境を維持するようになっている。また、図１のＸ−Ｘ線に沿う断面図である図２に示すように、幼虫育成部４を形成する側板１４ａ，１４ｂには約４５度の傾斜がついており、幼虫が上陸の際に外に這い出しやすい角度となっている。
【００１７】
そして、幼虫育成部４の周囲で幼虫が上陸した際に蛹化を行う場所となる蛹化部２Ａに、複数の札板状の蛹化促進部材２０Ａが土１２の上に露出した突出部分２０ｂを残し側面を垂直にして土中に差し込んで配設した点が、本考案の特徴部分となっている。
【００１８】
この蛹化促進部材２０Ａは、幼虫育成部４から所定距離をおいてその周囲を囲むように連設されたものが二重に配設されており、各蛹化促進部材２０Ａは幼虫育成部４に向かってその幅方向を略直角になるように配置されている。また、外側の列の蛹化促進部材２０Ａの配置が、内側の列の蛹化促進部材２０Ａの隙間部分を通る幼虫育成部４からの略延長線上、即ち幼虫育成部４から見て内側の列の隙間を外側の列の蛹化促進部材２０Ａで埋めるように配設されており、幼虫育成部４から遠心方向に放射状に進んだ幼虫が、蛹化促進部材２０Ａの側面に当接するチャンスを多いものとしている。
【００１９】
蛹化部２Ａをこのような構成としたことにより、幼虫育成部４から這い出した幼虫が蛹化部２Ａの土１２の上を這って進むうちに、いずれかの蛹化促進部材２０Ａの突出部分２０ｂの垂直な側面に当接してそこを蛹化場所と決め、その側面に沿って土中に潜って蛹化を開始するようになる。
【００２０】
従って、例えば１０００匹前後の多量の幼虫を幼虫育成部４内で育成した場合、従来例において側壁板１０ａ，１０ｂ，１０ａ，１０ｂの内側面だけでは蛹化場所が足りずに、蛹化しやすい場所を探すのに時間を費やして蛹化に失敗する例が多かったのに対し、本考案のように垂直部分を有する蛹化促進部材２０Ａを複数配置したことで、より多くの幼虫が短時間で蛹化場所を見つけて蛹化を成功するものとなる。
【００２１】
図４の拡大した縦断面図を参照しながら、本実施の形態の蛹化促進装置１Ａの作用を説明すると、ホタルの幼虫７は、幼虫育成部４内である程度成長すると、その側板１４ａの傾斜に沿って外部に這い出して蛹化部２Ａに上陸する。上陸した幼虫７は、土１２の表面を這って幼虫育成部４から遠ざかるように進む。上述したように、幼虫７は垂直面を有する障害物に当接した時点でその垂直面に沿って土中に潜る習性を持っているため、第一の蛹化促進部材２０Ａの露出部２０ｂに当接することで土中に潜り、土繭８を形成して内部で蛹化して蛹９となる。
【００２２】
一方、第一の蛹化促進部材２０Ａに当接しなかった幼虫７は、さらに進んで第二の蛹化促進部材２０Ａに当接することでそこで土中に潜って蛹化を開始する。そして、第二の蛹化促進部材２０Ａにも当接しなかった幼虫７は最終的に側壁板１０ａ内側面に当接してそこで土中に潜り蛹化を開始する。このように、蛹化部２Ａを這い進む幼虫７には、蛹化場所を見つけるチャンスが多くなっており、従来において蛹化場所を探すのに時間を費やして地表面で弱って蛹化に失敗する場合が多かったのに対し、比較的短時間で蛹化を開始することができるため蛹化に失敗する確率を大幅に低下させることが可能となった。
【００２３】
図３は、本考案における第二の実施の形態であるホタルの蛹化促進装置１Ｂの平面図を示している。蛹化促進装置１Ｂは、その蛹化部２Ｂが前述の蛹化促進装置１Ａの蛹化部２Ａに配設した札板状の蛹化促進部材２０Ａの代わりに、四角柱の杭状とした蛹化促進部材２０Ｂを配設した点を特徴としている。これにより、前述の蛹化促進部材２０Ａにおいて厚さ方向となる側面部分は幅が狭く蛹化場所になりにくかったのに対し、蛹化促進部材２０Ｂは総ての側面が所定の幅を有して、４面とも蛹化場所として利用しやすくなっており、さらに多くの幼虫が蛹化できるようにした点を特徴としている。
【００２４】
図５は、第一の実施の形態の蛹化促進装置１Ａの実際の使用例を示す斜視図である。蛹化促進装置１Ａは底板１０ｃを有していることから、例えば屋内で作成後、自然の小川の近くなど、ホタルのビオトープを形成するにふさわしい場所に移設することができ、移設先ですぐに蛹化促進作業を実施しやすいものとなっている。尚、このように屋外に設置する際には、幼虫育成部４の幼虫が直射日光に曝されたり鳥に狙われたりしないように、図のように屋根１５等の遮蔽構造を設けることが推奨される。
【００２５】
また、このように自然の中に設置する場合、屋根１５の表面に杉皮等を用い抑え部材にも竹材等の自然素材を用いることで自然の景観を損ないにくいものとなる。また、蛹化促進装置１Ａを構成する他の部材も木材で作成すれば、自然に調和しやすいとともに、調湿性など内部環境の保持に優れたものとなる。また、図に示すように、小川から水供給管１６を幼虫育成部４内に引いて新鮮な水を常に供給できるようにし、且つ、図示しない排水管を土中経由で設け、幼虫育成部４内で良好な幼虫育成環境を維持できるようにするとよい。
【００２６】
一方、上述した蛹化促進装置１Ａ，１Ｂは、幼虫育成部４内の水を新鮮な状態で適度な温度に維持できる限り、室内等の人工的施設での使用も可能である。この場合、従来例において蛹が入っている土繭を探し出してこれを他の場所に移動したり成虫を確保したりする作業を行う際に側壁板１０ａ，１０ｂに密着した土繭以外は見つけることが困難であったのに対し、本考案において蛹化促進部材２０Ａ，２０Ｂ部分を探せば土繭を容易に見つけられる点で有利である。
【００２７】
尚、図４の断面図に示すように、幼虫育成部４の側板１４ａが土１２中にオーバーハング面を形成していることから、幼虫７がこれに沿って深く潜りすぎたり羽化後に側板１４ａに当って地上に出られなくなったりする場合がある。これに対し、側板１４ａの外側に垂直な板をさらに配置してオーバーハング面を総て覆うようにすれば、この問題を解決してさらに羽化率を高めることができる。また、図５の斜視図のように本考案の蛹化促進装置１Ａを屋外に配設する場合において、幼虫育成部４を屋根１５で覆うことに加え、さらに装置全体を上から覆ってテントやフライシートを設けるようにすれば、蛹化部２Ａが風雨や直射日光に曝されることを回避できるようになり、一層羽化率を高めることが可能となる。
【００２８】
以上、述べたようにホタル蛹化装置について、本考案により限られた蛹化スペースでより多くの蛹化が可能となった。また、これによりホタルの高い羽化率を実現できるものとなった。
【図面の簡単な説明】
【００２９】
【図１】本考案の第一実施の形態を示す平面図。
【図２】図１のＸ−Ｘ線に沿う断面図。
【図３】本考案の第二の実施の形態を示す平面図。
【図４】図１の蛹化促進装置の作用を説明するための拡大した縦断面図。
【図５】図１の蛹化促進装置を実際の使用状態を示す斜視図。
【符号の説明】
【００３０】
１Ａ，１Ｂ  蛹化促進装置、２Ａ，２Ｂ  蛹化部、４  幼虫育成部、７  幼虫、８  土繭、９  蛹、１０  水槽型容器、１０ａ，１０ｂ  側壁板、１０ｃ  底板、１０ｄ  収容室、１２  土、１４  舟型容器、１４ａ，１４ｂ  側板、１５  屋根、１６  水供給管、２０Ａ，２０Ｂ  蛹化促進部材、２０ｂ  突出部分
【図１】
0003127965.tif 000003
【図２】
0003127965.tif 000004
【図３】
0003127965.tif 000005
【図４】
0003127965.tif 000006
【図５】
0003127965.tif 000007